(57)【要約】【課題】本発明は、装置内干渉を回避することが可能な通信装置を提供することを目的とする。【解決手段】本発明による通信装置１は、複数の通信機２，３と、各通信機２，３を通信可能に有線接続する有線インタフェース４，５とを備え、各通信機２，３は、自身の通信状態を有線インタフェース４，５を介して他の各通信機２，３に通知可能であり、一の通信機２がデータ受信中である場合において、他の各通信機３はデータ送信を開始しないことを特徴とする。【選択図】図１
2014230181.tif 000002
【特許請求の範囲】
【請求項１】
複数の通信機と、
各前記通信機を通信可能に有線接続するインタフェースと、
を備え、
各前記通信機は、自身の通信状態を前記インタフェースを介して他の各前記通信機に通知可能であり、
一の前記通信機がデータ受信中である場合において、他の各前記通信機はデータ送信を開始しないことを特徴とする、通信装置。
【請求項２】
前記通信状態は、前記データ送信中、前記データ受信中、あるいは前記データ送信および前記データ受信を行っていない待機中の状態を含むことを特徴とする、請求項１に記載の通信装置。
【請求項３】
一の前記通信機が前記データ送信中である場合において、他の各前記通信機は前記データ送信を開始しないことを特徴とする、請求項１または２に記載の通信装置。
【請求項４】
一の前記通信機は、前記データ送信に先行してキャリアセンスを行うキャリアセンス通信機であり、
前記キャリアセンス通信機が前記キャリアセンス中である場合において、前記キャリアセンスを行わない他の各前記通信機は、前記キャリアセンス通信機が前記キャリアセンスを完了した後に前記データ送信を開始することを特徴とする、請求項１に記載の通信装置。
【請求項５】
前記キャリアセンス通信機は、前記キャリアセンスを行い前記データ送信が可能であると判断した後、他の各前記通信機が前記データ受信中でない場合において、前記データ送信を開始することを特徴とする、請求項４に記載の通信装置。
【請求項６】
前記キャリアセンス通信機は、前記データ送信中、前記データ受信中、前記キャリアセンス中、あるいは前記データ送信、前記データ受信、および前記キャリアセンスを行っていない待機中の状態を含む前記通信状態を、他の各前記通信機に通知することを特徴とする、請求項４または５に記載の通信装置。
【請求項７】
各前記通信機は、前記データ送信に先行してキャリアセンスを行うキャリアセンス通信機であり、
一の前記キャリアセンス通信機が前記キャリアセンスを行う際、少なくとも１以上の他の前記キャリアセンス通信機が既に前記キャリアセンスを行っている場合において、
他の前記キャリアセンス通信機が前記キャリアセンスを中断した後、一の前記キャリアセンス通信機および他の前記キャリアセンス通信機は、同時に前記キャリアセンスが完了するように前記キャリアセンスを開始することを特徴とする、請求項１に記載の通信装置。
【請求項８】
前記キャリアセンス通信機は、前記データ送信中、前記データ受信中、前記キャリアセンス中、あるいは前記データ送信、前記データ受信、および前記キャリアセンスを行っていない待機中の状態を含む前記通信状態を、他の各前記キャリアセンス通信機に通知することを特徴とする、請求項７に記載の通信装置。
【請求項９】
各前記通信機は、それぞれ異なるシステムに対応していることを特徴とする、請求項１ないし８のいずれかに記載の通信装置。
【発明の詳細な説明】
【技術分野】
【０００１】
本発明は、複数の通信機を備える通信装置に関する。
【背景技術】
【０００２】
従来、通信方式が異なる等の理由によって複数の通信機を搭載する通信装置、例えば、対端末用無線通信機および対基地局用無線通信機を備える無線中継器や、無線ローカル・エリア・ネットワーク（ＷＬＡＮ）用無線通信機およびＢｌｕｅｔｏｏｔｈ（登録商標）用無線通信機を備える携帯電話等がある。
【０００３】
このような通信装置の各無線通信機が無線通信を使用し、かつ同一周波数帯を使用している場合において、一方の無線通信機がデータ受信を行っている間に、他方の無線通信機がデータ送信を開始すると、一方の無線通信機のデータ受信に他方の無線通信機のデータ送信が干渉する装置内干渉が発生する。従って、一方の無線通信機では、データを継続して受信することができなくなるという問題がある。
【０００４】
また、複数の無線通信機が同一周波数帯を使用する無線通信を使用し、かつ当該各無線通信がキャリアセンスを行う通信方式（すなわち、他の無線通信機の通信状況を確認し、当該他の無線通信機が通信していないタイミングでのみ通信可能とする方式）であり、各無線通信機が独立して動作する場合において、一の無線通信機がキャリアセンスを行っている間に他の無線通信機がキャリアセンスを開始すると、先にキャリアセンスを開始した一の無線通信機が後にキャリアセンスを開始した他の無線通信機よりも先にデータ送信を開始する。従って、先にキャリアセンスを開始した無線通信機がデータ送信を完了するまで、後からキャリアセンスを開始した無線通信機はデータ送信を開始することができないという問題がある。
【０００５】
上記の問題の対策として、従来では、対端末用無線通信機および対基地局用無線通信機の２種類の無線通信機を備える無線中継器において、干渉キャンセラを用いて他方の無線通信機に回り込む信号成分を除去することによって装置内干渉を回避する方法が開示されている（例えば、特許文献１参照）。
【０００６】
また、同一周波数帯を使用するＷＬＡＮ用無線通信機およびＢｌｕｅｔｏｏｔｈ用無線通信機を同一装置に実装する場合において、２つの無線通信機の状態（動作状態、省電力状態等の装置状態）を考慮し、各無線通信機に対して優先度を付与する方法が開示されている（例えば、特許文献２参照）。
【先行技術文献】
【特許文献】
【０００７】
【特許文献１】特開２００１−１８６０７２号公報
【特許文献２】特表２０１２−５３０４７２号公報
【発明の概要】
【発明が解決しようとする課題】
【０００８】
例えば、無線通信を使用する第１通信機および第２通信機を搭載した通信装置において、第１通信機がデータ受信中に第２通信機がデータ送信を開始すると、第１通信機は、それまで受信していたデータと、第２通信機から送信されたデータとを受信する。このとき、第２通信機から送信されたデータの第１通信機の受信帯域内における信号レベルが、第１通信機がそれまで受信していたデータの受信レベルに対して干渉するレベルである場合において、第１通信機はそれまで受信していたデータの受信を継続することができなくなる。すなわち、装置内干渉が発生する。この装置内干渉は、第１通信機および第２通信機が同一周波数帯を使用している場合に限らず、第２通信機からの出力信号に含まれる不要輻射が第１通信機に対して干渉する場合も含んでいる。装置内干渉を回避するためには干渉キャンセラを備える必要があるが、干渉キャンセラを備えると回路規模や消費電力が増大し、コストアップにつながるという問題がある。
【０００９】
また、第１通信機および第２通信機が無線通信を使用し、かつ例えば第１通信機がキャリアセンスを行う通信方式であり、第２通信機がキャリアセンスを伴わない通信方式である場合において、第１通信機がキャリアセンス中に第２通信機がデータ送信を開始すると、第１通信機は第２通信機から送信されたデータを受信する。このとき、第２通信機から送信されたデータの第１通信機の送信帯域内における信号レベルが、第１通信機のキャリアセンスレベルよりも大きい場合において、第１通信機のキャリアセンスの結果はチャネル空きなしとなり、第１通信機は第２通信機のデータ送信が完了するまで自身のデータ送信を開始することができない。すなわち、第１通信機におけるデータ送信のタイミングに制約（以下、送信タイミング制約という）が生じる。
【００１０】
また、第１通信機および第２通信機が無線通信を使用し、かつ第１通信機および第２通信機がキャリアセンスを行う通信方式である場合において、例えば第１通信機がキャリアセンス中に第２通信機がキャリアセンスを開始すると、第２通信機のキャリアセンスが完了する前に第１の通信機のキャリアセンスが完了し、第１の通信機はデータ送信を開始する。このとき、第１通信機から送信されたデータの第２通信機の送信帯域内における信号レベルが、第２通信機のキャリアセンスレベルよりも大きい場合において、第２通信機のキャリアセンスの結果はチャネル空きなしとなり、第２通信機は第１通信機のデータ送信が完了するまで自身のデータ送信を開始することができない。すなわち、第２通信機における送信タイミング制約が生じる。
【００１１】
上記の問題に対して、特許文献１では、装置内干渉を回避するために上述の干渉キャンセラを備えているため、回路規模や消費電力が増大し、コストアップにつながるという問題がある。
【００１２】
また、特許文献２では、無線通信機が動作状態であるか省電力状態であるかといった通信機の装置としての状態を考慮しているため、２つの無線通信機が同時に動作した場合において、一方の無線通信機がデータ受信中に他方の無線通信機がデータ送信を開始することや、一方の無線通信機がキャリアセンス中に他方の無線通信機がキャリアセンスを開始することを回避することは困難である。
【００１３】
本発明は、これらの問題を解決するためになされたものであり、装置内干渉を回避することが可能な通信装置を提供することを目的とする。
【課題を解決するための手段】
【００１４】
上記の課題を解決するために、本発明による通信装置は、複数の通信機と、各通信機を通信可能に有線接続するインタフェースとを備え、各通信機は、自身の通信状態をインタフェースを介して他の各通信機に通知可能であり、一の通信機がデータ受信中である場合において、他の各通信機はデータ送信を開始しないことを特徴とする。
【発明の効果】
【００１５】
本発明によると、複数の通信機と、各通信機を通信可能に有線接続するインタフェースとを備え、各通信機は、自身の通信状態をインタフェースを介して他の各通信機に通知可能であり、一の通信機がデータ受信中である場合において、他の各通信機はデータ送信を開始しないことを特徴とするため、装置内干渉を回避することが可能となる。
【図面の簡単な説明】
【００１６】
【図１】本発明の実施の形態１による通信装置の構成の一例を示すブロック図である。
【図２】本発明の実施の形態１による通信装置の動作の一例を示すフローチャートである。
【図３】本発明の実施の形態１による通信装置の動作の他の一例を示すフローチャートである。
【図４】本発明の実施の形態２による通信装置の動作の一例を示すフローチャートである。
【図５】本発明の実施の形態２による通信装置の動作の他の一例を示すフローチャートである。
【図６】本発明の実施の形態３による通信装置の動作の一例を示すフローチャートである。
【発明を実施するための形態】
【００１７】
本発明の実施の形態について、図面に基づいて以下に説明する。
【００１８】
＜実施の形態１＞
図１は、本発明の実施の形態１による通信装置１の構成の一例を示すブロック図である。
【００１９】
図１に示すように、通信装置１は、第１通信機２と、第２通信機３と、第１通信機２から第２通信機３に向けて通信可能に有線接続する有線インタフェース４と、第２通信機３から第１通信機２に向けて通信可能に有線接続する有線インタフェース５とを備えている。
【００２０】
また、第１通信機２は第１対向通信機６と無線によって通信可能であり、第２通信機３は第２対向通信機７と無線によって通信可能である。
【００２１】
第１通信機２および第２通信機３は、それぞれ異なるシステムに対応している。従って、第１通信機２および第１対向通信機６は同じシステムに対応した通信機であり、第２通信機３および第２対向通信機７は同じシステムに対応した通信機である。ここで、異なるシステムとは、各通信機と外部の通信対象となる通信機とが異なる通信経路で接続された各システムのことをいう。
【００２２】
第１通信機２は、当該第１通信機２がデータ送信中、データ受信中、あるいはデータ送信およびデータ受信を行っていない待機中の３つの状態のうちのいずれかの状態（すなわち、自身の通信状態）を第１通信機２の通信状態として、有線インタフェース４を介して第２通信機３に通知する。
【００２３】
第２通信機３は、当該第２通信機３がデータ送信中、データ受信中、あるいはデータ送信およびデータ受信を行っていない待機中の３つの状態のうちのいずれかの状態を第２通信機３の通信状態として、有線インタフェース５を介して第１通信機２に通知する。
【００２４】
図２は、通信装置１の動作の一例を示すフローチャートであり、特に第１通信機２の動作を示している。
【００２５】
図２では、通信装置１に備えられたＮ個の通信機（第１通信機２、第２通信機３）がいずれもキャリアセンスを行わない無線通信方式を使用し、かつ第１通信機２以外の通信機のうち、自身の受信帯域内において、閾値が第１通信機の送信データ信号レベルよりも小さい通信機が存在する場合における、第１通信機２のデータ送信開始時の動作を示している。
【００２６】
なお、各通信機で設定される上記の閾値は、例えば各通信機の受信感度、すなわち所要の品質（通信品質）を得るための最小受信電力等に基づいて決定するものとする。各通信機で設定された閾値は、他の通信機でも共有されているものとする。
【００２７】
また、以下では、自身の受信帯域内において、閾値が他の第ｋ通信機（ｋは１以上Ｎ以下の整数）の送信データ信号レベルよりも小さい通信機のことを、第ｋ通信機の被干渉通信機とする。第ｋ通信機の被干渉通信機は１つに限らず、上記の条件を満たす全ての通信機が被干渉通信機となる。
【００２８】
ステップＳ１１において、第１対向通信機６へのデータ送信を要求する。
【００２９】
ステップＳ１２において、被干渉通信機からデータ受信中である旨の通信状態が通知されたか否かを判断する。被干渉通信機からデータ受信中である旨の通信状態が通知された場合は、ステップＳ１２の処理を繰り返す（すなわち、被干渉通信機からデータ受信中である旨の通信状態が通知されなくなるまで待機する）。一方、被干渉通信機からデータ受信中である旨の通信状態が通知されない場合は、ステップＳ１３に移行する。ここで、いずれの通信機が被干渉通信機であるのかは、第１通信機２の送信データ信号レベルと、他の通信機で設定された閾値とに基づいて判断される。
【００３０】
ステップＳ１３において、第１対向通信機６へのデータ送信を開始し、処理を終了する。
【００３１】
上記より、第１通信機２は、被干渉通信機がデータ受信を完了した後（被干渉通信機がデータ受信を行っていないとき）にデータ送信を開始するため、第１通信機２から送信された信号が、被干渉通信機のデータ受信時の干渉となることを回避することができる。
【００３２】
図３は、通信装置１の動作の他の一例を示すフローチャートであり、特に第１通信機２の動作を示している。
【００３３】
図２では被干渉通信機のデータ受信状態を確認することによってデータ送信の可否を判断しているが、各通信機の送信時の消費電力が大きいため通信装置１全体における瞬時最大消費電力を低減する等の目的がある場合は、図２に示す動作に図３に示す動作を組み合わせて実施することによって、複数の通信機が同時にデータ送信することを回避することができる。以下、図３に示す動作について説明する。
【００３４】
ステップＳ２１において、第１対向通信機６へのデータ送信を要求する。
【００３５】
ステップＳ２２において、他の通信機からデータ送信中である旨の通信状態が通知されたか否かを判断する。他の通信機からデータ送信中である旨の通信状態が通知された場合は、ステップＳ２２の処理を繰り返す（すなわち、他の通信機からデータ送信中である旨の通信状態が通知されなくなるまで待機する）。一方、他の通信機からデータ送信中である旨の通信状態が通知されない場合は、ステップＳ２３に移行する。
【００３６】
ステップＳ２３において、第１対向通信機６へのデータ送信を開始し、処理を終了する。
【００３７】
上記より、図２に示す動作と図３に示す動作とを組み合わせることによって、複数の通信機が同時にデータ送信することを回避することができるため、通信装置１全体における瞬時最大消費電力を低減することができる。
【００３８】
以上のことから、本実施の形態１によれば、被干渉通信機（一の通信機）がデータ受信中である場合において、他の各通信機はデータ送信を開始しないため、他の各通信機から送信された信号が、被干渉通信機のデータ受信時の干渉となることを回避することができる。また、一の通信機がデータ送信中である場合において、他の各通信機はデータ送信を開始しないため、通信装置全体における瞬時最大消費電力を低減することができる。
【００３９】
なお、図１では、有線インタフェース４と有線インタフェース５とを別個の信号線として示しているが、双方向で通信可能なインタフェースであれば共通の有線インタフェースで構成してもよい。
【００４０】
また、図１では、通信装置１が２つの通信機（第１通信機２、第２通信機３）を備える場合について示しているが、３つ以上の通信機を備えてもよい。この場合、各通信機は他の全ての通信機と有線インタフェースで通信可能に有線接続されるものとする。
【００４１】
また、図２，３では、第１通信機２について説明したが、第１通信機２以外の他の通信機（Ｎ−１個の通信機）についても図２，３と同様の動作を行うものとする。
【００４２】
また、図３において、各通信機の全てが無線通信を使用している場合に限らず、Ｎ個の通信機のうちのいずれかが外部の通信機と有線通信を行う場合についても適用可能である。
【００４３】
また、図２に示す動作と図３に示す動作とを組み合わせた場合において、図２のステップＳ１２と図３のステップＳ２２との処理の順序は、どちらの処理が先であってもよい。
【００４４】
＜実施の形態２＞
本発明の実施の形態２では、通信装置に備えられるＮ個の通信機のうちのいずれかがキャリアセンスを行う通信方式を使用する場合について説明する。
【００４５】
なお、本実施の形態２による通信装置１の構成は、図１と同様であるため、ここでは説明を省略する。
【００４６】
また、以下では、第１通信機２がキャリアセンスを行う通信方式を使用するものとして説明する。すなわち、第１通信機２（キャリアセンス通信機）は、データ送信に先行してキャリアセンスを行う。
【００４７】
図１を参照して、第１通信機２は、当該第１通信機２がデータ送信中、データ受信中、キャリアセンス中、あるいはデータ送信、データ受信、およびキャリアセンスを行っていない待機中の４つの状態のうちのいずれかの状態を第１通信機２の通信状態として、有線インタフェース４を介して第２通信機３に通知する。
【００４８】
第２通信機３は、当該第２通信機３がデータ送信中、データ受信中、あるいはデータ送信およびデータ受信を行っていない待機中の３つの状態のうちのいずれかの状態を第２通信機３の通信状態として、有線インタフェース５を介して第１通信機２に通知する。
【００４９】
図４は、通信装置１の動作の一例を示すフローチャートであり、特に第１通信機２の動作を示している。
【００５０】
図４では、第１通信機２がキャリアセンスを行う通信方式を使用しており、かつ第１通信機２以外の通信機のうち、自身の受信帯域内において、閾値が第１通信機の送信データ信号レベルよりも小さい通信機、すなわち被干渉通信機が存在する場合における、第１通信機２のデータ送信開始時の動作を示している。
【００５１】
なお、各通信機で設定される上記の閾値は、例えば各通信機の受信感度、すなわち所要の品質（通信品質）を得るための最小受信電力等に基づいて決定するものとする。各通信機で設定された閾値は、他の通信機でも共有されているものとする。
【００５２】
ステップＳ３１において、第１対向通信機６へのデータ送信を要求する。
【００５３】
ステップＳ３２において、キャリアセンスを開始する。
【００５４】
ステップＳ３３において、チャネルの空きがあるか否かを判断する。チャネルの空きがない場合は、ステップＳ３２に移行する。一方、チャネルの空きがある場合は、ステップＳ３４に移行する。
【００５５】
ステップＳ３４において、被干渉通信機からデータ受信中である旨の通信状態が通知されたか否かを判断する。被干渉通信機からデータ受信中である旨の通信状態が通知された場合は、ステップＳ３２に移行する。一方、被干渉通信機からデータ受信中である旨の通信状態が通知されない場合は、ステップＳ３５に移行する。
【００５６】
ステップＳ３５において、第１対向通信機６へのデータ送信を開始し、処理を終了する。
【００５７】
上記より、第１通信機２は、キャリアセンスを行った後、被干渉通信機がデータ受信を完了した後（被干渉通信機がデータ受信を行っていないとき）にデータ送信を開始するため、第１通信機２から送信された信号が、被干渉通信機のデータ受信時の干渉となることを回避することができる。
【００５８】
他の例として、例えば、第１通信機２のキャリアセンス中に他の通信機、例えば第２通信機３がデータ送信を開始し、第２通信機３から送信されたデータの第１通信機２の受信帯域内における信号レベルが、第１通信機２のキャリアセンスレベルよりも大きい場合において、第１通信機２のキャリアセンスの結果はチャネル空きなしとなり、第１通信機２は第２通信機３のデータ送信が完了するまで自身のデータ送信を開始することができない。
【００５９】
上記の問題を解決するために、本実施の形態２では、第１通信機２以外の他の通信機は、データ送信を開始する前に第１通信機２のキャリアセンスの状態を確認し、第１通信機２がキャリアセンスを行ってデータ送信を開始した後に、自身からデータ送信を開始するようにしている。
【００６０】
図５は、通信装置１の動作の他の一例を示すフローチャートであり、特に第２通信機３の動作を示している。なお、図５において、第１通信機２以外の他の通信機は、第２通信機３であるものとして説明する。
【００６１】
ステップＳ４１において、第２対向通信機７へのデータ送信を要求する。
【００６２】
ステップＳ４２において、第１通信機２からキャリアセンス中である旨の通信状態が通知されたか否かを判断する。第１通信機２からキャリアセンス中である旨の通信状態が通知された場合は、ステップＳ４２の処理を繰り返す（すなわち、第１通信機２からキャリアセンス中である旨の通信状態が通知されなくなるまで待機する）。一方、第１通信機２からキャリアセンス中である旨の通信状態が通知されない場合は、ステップＳ４３に移行する。
【００６３】
ステップＳ４３において、第２対向通信機７へのデータ送信を開始し、処理を終了する。
【００６４】
以上のことから、本実施の形態２によれば、キャリアセンスを行う通信機（一の通信機）は、キャリアセンスを行いデータ送信が可能であると判断した後、他の各通信機（被干渉通信機）がデータ受信中でない場合においてデータ送信を開始するため、キャリアセンスを行う通信機から送信された信号が、被干渉通信機のデータ受信時の干渉となることを回避することができる。また、キャリアセンスを行う通信機がキャリアセンス中である場合において、キャリアセンスを行わない他の各通信機は、キャリアセンスを行う通信機がキャリアセンスを完了した後にデータ送信を開始するため、キャリアセンスを行う通信機における送信タイミング制約を回避することができる。
【００６５】
なお、本実施の形態２では、第１通信機２がキャリアセンスを行う通信方式を使用するものとして説明したが、第１通信機２以外のＮ−１個の通信機がキャリアセンスを行う通信方式を使用する場合にも適用可能である。
【００６６】
また、図４では、第１通信機２について説明したが、キャリアセンスを行わない第１通信機２以外の他の通信機は、図２に示す動作を行うようにしてもよく、図２に示す動作と図５に示す動作とを組み合わせた動作を行うようにしてもよい。
【００６７】
また、図５では、第２通信機３がデータ送信を開始することによってデータ送信できなくなる通信機は第１通信機２のみである場合について説明したが、これに限るものではない。第１通信機２以外にも、第２通信機３がデータ送信を開始することによってデータ送信できなくなる通信機が存在する場合において、第２通信機３は、キャリアセンスを行う全ての通信機がキャリアセンス中でないことを確認してからデータ送信を開始するものとする。
【００６８】
＜実施の形態３＞
本発明の実施の形態３では、通信装置に備えられる全ての通信機がキャリアセンスを行う通信方式を使用する場合について説明する。すなわち、各通信機（キャリアセンス通信機）は、データ送信に先行してキャリアセンスを行う。
【００６９】
なお、本実施の形態３による通信装置１の構成は、図１と同様であるため、ここでは説明を省略する。
【００７０】
図１を参照して、第１通信機２は、当該第１通信機２がデータ送信中、データ受信中、キャリアセンス中、あるいはデータ送信、データ受信、およびキャリアセンスを行っていない待機中の４つの状態のうちのいずれかの状態を第１通信機２の通信状態として、有線インタフェース４を介して第２通信機３に通知する。
【００７１】
第２通信機３は、当該第２通信機３がデータ送信中、データ受信中、キャリアセンス中、あるいはデータ送信、データ受信、およびキャリアセンスを行っていない待機中の４つの状態のうちのいずれかの状態を第２通信機３の通信状態として、有線インタフェース５を介して第１通信機２に通知する。
【００７２】
第１通信機２以外の通信機のうち、自身の受信帯域内において、閾値が第１通信機の送信データ信号レベルよりも小さい通信機、すなわち被干渉通信機が存在する場合における、第１通信機２のデータ送信開始時の動作は、図４に示す動作と同様である。具体的に、第１通信機２は、キャリアセンスを行った後、被干渉通信機がデータ受信を完了した後（被干渉通信機がデータ受信を行っていないとき）にデータ送信を開始する。従って、第１通信機２から送信された信号が、被干渉通信機のデータ受信時の干渉となることを回避することができる。なお、第１通信機２以外の他の通信機についても同様である。
【００７３】
なお、各通信機で設定される上記の閾値は、例えば各通信機の受信感度、すなわち所要の品質（通信品質）を得るための最小受信電力等に基づいて決定するものとする。各通信機で設定された閾値は、他の通信機でも共有されているものとする。
【００７４】
他の例として、例えば、第２通信機３のキャリアセンス中に第１通信機２がキャリアセンスを開始すると、第１通信機２のキャリアセンス中に第２通信機３のキャリアセンスが完了し、第２通信機３がデータ送信を開始する。第２通信機３から送信されたデータの第１通信機２の受信帯域内における信号レベルが、第１通信機２のキャリアセンスレベルよりも大きい場合において、第１通信機２のキャリアセンスの結果はチャネル空きなしとなり、第１通信機２は第２通信機３のデータ送信が完了するまで自身のデータ送信を開始することができない。
【００７５】
上記の問題を解決するために、本実施の形態３では、第１通信機２は、キャリアセンスを開始する前に第１通信機２以外の他の通信機のキャリアセンスの状態を確認し、第１通信機２と他の通信機とが同時にデータ送信を開始するようにしている。
【００７６】
図６は、通信装置１の動作の一例を示すフローチャートであり、特に第１通信機２の動作を示している。なお、図６において、第１通信機２以外の他の通信機には、第２通信機３が含まれるものとする。
【００７７】
ステップＳ５１において、第１対向通信機６へのデータ送信を要求する。
【００７８】
ステップＳ５２において、第１通信機２以外の他の通信機からキャリアセンス中である旨の通信状態が通知されたか否かを判断する。他の通信機からキャリアセンス中である旨の通信状態が通知されない場合は、ステップＳ５３に移行する。一方、他の通信機からキャリアセンス中である旨の通信状態が通知された場合は、ステップＳ５６に移行する。
【００７９】
ステップＳ５３において、キャリアセンスを開始する。
【００８０】
ステップＳ５４において、チャネルの空きがあるか否かを判断する。チャネルの空きがない場合は、ステップＳ５３に移行する。一方、チャネルの空きがある場合は、ステップＳ５５に移行する。
【００８１】
ステップＳ５５において、第１対向通信機６へのデータ送信を開始し、処理を終了する。
【００８２】
ステップＳ５６において、キャリアセンス中である他の通信機に対して、キャリアセンスの中断を要求する。
【００８３】
ステップＳ５７において、キャリアセンスを中断した他の通信機と同時に（同じタイミングで）キャリアセンスが完了するように、キャリアセンスを開始する。すなわち、第１通信機２および他の通信機は、キャリアセンスが同時に完了するように、それぞれキャリアセンスを開始する。
【００８４】
ステップＳ５８において、チャネルの空きがあるか否かを判断する。チャネルの空きがない場合は、ステップＳ５７に移行する。一方、チャネルの空きがある場合は、ステップＳ５９に移行する。
【００８５】
ステップＳ５９において、ステップＳ５６の要求によってキャリアセンスを中断した他の通信機と同時にデータ送信を開始し、処理を終了する。
【００８６】
以上のことから、本実施の形態３によれば、通信装置１に備えられる全ての通信機がキャリアセンスを行う場合において、一の通信機がキャリアセンスを行う際、少なくとも１以上の他の通信機が既にキャリアセンスを行っている場合において、他の通信機がキャリアセンスを中断した後、一の通信機および他の通信機は同時にキャリアセンスが完了するようにキャリアセンスを開始するため、各通信機（一の通信機および他の通信機）は同時にデータ送信を開始することができ、各通信機における送信タイミング制約を回避することができる。また、一の通信機は、キャリアセンスを行いデータ送信が可能であると判断した後、他の各通信機（被干渉通信機）がデータ受信中でない場合においてデータ送信を開始するため、一の通信機から送信された信号が、被干渉通信機のデータ受信時の干渉となることを回避することができる。
【００８７】
なお、図６では、第１通信機２について説明したが、第１通信機２以外の他の通信機についても同様の動作を行うものとする。
【００８８】
本実施の形態１〜３では、１つの通信装置１が複数の通信機（例えば、第１通信機２、第２通信機３）を備えることについて説明したが、これに限るものではない。例えば、１つの通信装置に１つの通信機を備えるようにしてもよく、通信装置に備える通信機の個数は任意である。このとき、各通信機は他の全ての通信機と有線インタフェースで通信可能に有線接続されるものとする。
【００８９】
なお、本発明は、その発明の範囲内において、各実施の形態を自由に組み合わせたり、各実施の形態を適宜、変形、省略することが可能である。
【符号の説明】
【００９０】
１  通信装置、２  第１通信機、３  第２通信機、４，５  有線インタフェース、６  第１対向通信機、７  第２対向通信機。
【図１】
2014230181.tif 000003
【図２】
2014230181.tif 000004
【図３】
2014230181.tif 000005
【図４】
2014230181.tif 000006
【図５】
2014230181.tif 000007
【図６】
2014230181.tif 000008